(57)【要約】      （修正有）【課題】激震でも建造物は全く揺れない機械式免震構造装置の製作。【解決手段】建造物の柱を建てる地面基礎上（あ）へ円周帯状または多（５〜８）角形の区画面形状に土台（い）と該土台の上部に円周状の中央部へ傾斜面と成った台座（う）（旋回用溝付で１区画面に１台座）を設置し、該各々の傾斜台座面上へ梃クランク連鎖機構体群（台形形状の主柱、支柱と天井型梁、逆さ鍔付直円錐体とによって構成）を搭載した旋回盤を設置して成る。地震発生により旋回盤上の主柱と支柱は前傾斜と直立の作動する働きによって旋回盤を旋回する偶力のモーメントが発生し旋回盤はキャスター効果作用によって旋回を始め、不等速楕円運動形態で半旋回反復を機敏に作動する構造を特徴とし、地震終了後は、キャスター効果作用による復元力で自然に原形に戻る構造として成り、円錐体頂点部と一体として成る柱（そ）がこの柱の鉛直線移動を保持し平面浮動を可能とする構造によって建造物は揺れない梃クランク連鎖機構体郡免震装置。【選択図】図３−２
2009041352.tif 000002
【特許請求の範囲】
【請求項１】
建造物の柱を建てる地面基礎上（あ）へ円周帯状または多（５〜８）角形の区画面形状（図１）に土台（い）と該土台の上部に円周状の中央部へ傾斜面と成った台座（う）（旋回用溝付で１区画面に１台座）を設置し、該各々の傾斜台座面上へ梃クランク連鎖機構体群（台形形状の主柱、支柱と天井型梁、逆さ鍔付直円錐体とによって構成）を搭載した旋回盤を設置して成る免震装置で、地震発生により地面が揺れても逆鍔付直円錐体頂点部（せ）と一体構造として成る建造物の柱（そ）はこの柱の鉛直線を維持しながら円錐体頂点部（せ）と柱（そ）は空間の同じ地点（せ、Ｒ）の鉛直線上の位置に停止し留まっていて建造物の柱は揺れない構造として成る梃クランク連鎖機構体群免震装置。
【請求項２】
地震発生により旋回盤上の主柱と支柱は前傾斜、直立の作動する働きによって旋回盤を旋回する偶力のモーメントが発生し旋回盤はキャスター効果作用によって旋回を始め、不等速楕円運動形態で半旋回反復を機敏に作動する構造を特徴として成る免震装置。地震終了後は、台座上の傾斜旋回盤はキャスター効果作用による復元力で自然に中央部正面方向に向かって旋回し、主柱、支柱は互いに相対して円周帯状中央部へ傾き、もたれ合いながら釣合って成っている状態の原形に自然に戻る構造として成る梃クランク連鎖機構体群免震装置。
【発明の詳細な説明】
【技術分野】
【０００１】  建築構造物の機械式免震構造装置に関する。
【背景技術】
【０００２】  地震による建造物の免震構造装置は多種多様ある。柱の根元部が浮上して成るブランコ式免震装置でも地面が揺れれば腰掛部の上下の高低差が生じるが、高低差の全く生じない平面移動だけの免震構造は〔特願２００６−５７４８４〕のスライダクランク式がある。柱の根元に架かる衝撃的重力荷重が１万トン以上に耐え得る強固な鋼鉄製で１００年以上の耐久性のある建造物の横揺れを防止する免震構造は不明である。
【発明の開示】
【発明が解決しようとする課題】
【０００３】  関東大震災級の大地震で、地面の揺れが仮に１秒間で直径３ｍを往復瞬間移動したとしても、設計段階で３ｍでも４ｍでも希望の数値設定により強固な免震構造の機械製作を可能とし、鋼鉄製部材で建造物の柱の根元部に架かる衝撃的重力荷重が仮に１万トン以上であっても強度的に耐え得る構造能力があって、１００年以上の耐久性もあり、地面が揺れても柱の揺れを完全に防止する機械式免震構造装置を備えた建造物の建造を課題とする。特願２００６−３５７４８４の追加的事項である。ブランコやスケートボード、シーソー、ジェットコースターなど重力や反重力を応用した構造は遊具や振り子時計、家具、産業機械などに昔から多く使用され地球に重力がある限り様々な開発が続く。更に折りたたみ机やテーブルなど、梃クランク構造によって屈伸、屈折、旋回可能な連結方法により台形形状を成す脚立方式の構造や梃クレーン、ミシンなど柱や筋交い、梁、などを使用した構造物で、昔からある４節（両梃）連鎖機構も広く古くから公知の構造である。  そこで４節連鎖機構構造の原理を応用して、電源もコンピュターも使用しない自然重力だけを利用した免震構造で建造物の柱（そ）は地上より吊り上がって、リニアモーターカーのごとく浮き上がった状態のまま激震で地面が東西南北どの方向に揺れ動き、斜めに傾斜移動を反復しようとも柱は元の空間のそのままの位置で揺れない不動の位置を維持するにはどのような手段を用いて実現するか、を課題とし、綱渡りの軽業師が水平棒１本手に取り１本のロープを綱渡りしているときの軽業師の足元の揺れ（縦横斜め）を体感（実感）する装置の実現であり、或いは遊具の綱渡りする糸巻き円錐駒の鉄芯のごとく、建造物の柱の根元（た、ち、Ｏの位置）そのものが綱渡りしているがごとく空中のロープ（せ、部分）（Ｒの位置）から、はずれない、落下しない、Ｏ点の位置より不動な免震構造装置を備えた建造物の建造を課題とし、人為的な手法での重力対策が課題である。
【課題を解決する為の手段】
【０００４】  建造物の柱を建てる地面基礎上（あ）に円周帯状または多角形区画面帯状（図１）に土台（い）を設置し、該土台上部（１〜２）に中央部へ傾斜面と成った旋回用溝付（き）の台座（う、１〜１１）を東西南北、多区画面帯状（５〜８箇所）設置する。図１は、８区画面帯状の台座（う）はすべて傾斜角度∠θで緩い傾斜面として成り、該台座（溝付き）上面には円形又は半円形状で底面には旋回用溝（く）付の旋回盤（え、１２〜２１）を各１区画面には１基搭載し、８区画面には８基（Ｉ〜ＶＩＩＩ）搭載設置して成る構造を示す全体概略平面図である。説明都合上これ以後、台座（う）と旋回盤（え）とを８セット、８角形区画面帯状に設置した場合として説明することとする。該台座上面（３〜１０）と接面している旋回盤の底面（１５〜２１、１２）には、転がりコロ受用で旋回用溝（く）とローラー車輪（円錐コロ、お）とを設置して重荷重に耐える構造とし、旋回盤の旋回中心軸（Ｓ、キングピン）は旋回盤の円形の中心点（Ｎ）から主柱軸（Ｂ）側、で坂下の中心（Ｓ１）の位置とし、また傾斜台座面上の旋回盤搭載の中心軸も台座の坂下側の（Ｓ２）の位置として坂下の同位置とする。旋回盤の回転周速度は不等速楕円運動する旋回構造として成っていて傾斜台座上で傾斜旋回盤が機敏に滑らかに半旋回振り子運動を反復する構造である。図１は旋回盤を８基搭載する場合で１号基から８号基まで同じ相似形を成す対称な配置形状を示す全体側面図である。説明都合上、時計回りにＩ号基から８号基まで８角形区画帯状に配置する。Ｉ号基は北、ＩＩ号基は北東、ＩＩＩ号基は東、ＩＶ号基は南東、Ｖ号基は南、ＶＩ号基は南西、ＶＩＩ号基は西、ＶＩＩＩ号基は北西・・の順である。
【０００５】  台座上に旋回盤を８基搭載した場合で東側のＩＩＩ号基を例にとって図３により説明する。傾斜旋回盤上（ＩＩＩえ）には主柱（け）、天井型梁（さ）、支柱（こ）から成る（てこ）クランク連鎖機構を搭載して該各部の連結部装置は外部コロ軸受け（図３）とボス、ピンとにより連結しすべての連結部は重荷重に耐える耐力性連結構造として成っている。図５は旋回盤上の梃クランク連鎖機構正面部の主柱（け）と背面部の支柱（こ）は厚鋼板のＩビーム形鋼や、コラム、Ｈ形鋼などの部材によって台形を成す同じ形状の柱（図５）として建て、１万トン以上の衝撃的重力荷重に耐える強度と地面が秒速３ｍの往復瞬間移動にも耐え得る強度を保持する堅牢な構造として成る。
【０００６】  傾斜台座の８角形区画面では８基の傾斜旋回盤と該旋回盤上に搭載の梃クランク連鎖機構（４てこ連鎖機構）とで成っている機構を梃クランク連鎖機構体と仮称し、８基の４節連鎖機構体を８角形区画帯状に配置し中央部に逆鍔付直円錐体をかぶせる形状で搭載して該鍔付直円錐体頂点部（せ）によって、柱（そ）の底板根元部（た）を支持する形状の機構を梃クランク連鎖機構体群と仮称する。またこれ以後、該、逆鍔付直円錐体を略して円錐体と仮称する。
【０００７】  逆鍔付直円錐体（略して円錐体）の構造は８角形区画帯状に配置設置した旋回盤上の４節連鎖機構体の中央部へ円錐体を逆さに挿してかぶせる形状（とんがり帽子形状）で搭載して、該円錐体の鍔部分（し）を天井型梁の上面（２４〜２５）で支持してボスピン（Ｆ）により連結し旋回作用も兼ねる軸である。更に該旋回軸の下部にクロスジョイント装置（Ｅ）を装着して一体部品（図５の円内部分）とし、円錐体の自在な傾きにも対応する支持軸兼旋回軸構造として成る。円錐体の該支持軸、兼旋回軸（Ｅ、Ｆ）に架かる重力荷重は主柱軸（Ｂ）と支柱軸（Ｄ）に分担して架かり、主柱軸（Ｂ）の鉛直線（ＢＧ）と、旋回盤の旋回中心軸（Ｓ）の鉛直線（ＳＳ´）との距離（ＢＧ〜ＳＳ´）は主柱（け）の最も直立した状態で最も縮んだ最短距離（図１）でも（ＢＧ〜ＳＳ´）＝Ｔｃｍの間隔でありＴｃｍはモーメントの腕の長さの役割を成して旋回盤の旋回作動する力の発生原因と成る構造である。ＢＧ線とＢＨ線、ＢＩ線の各３鉛直線は互いに平行線であって３線に交わる主柱軸線（ＡＢ）と水平線（ＬＭ）との∠（ＢＡＬ）は主柱（け）の前傾斜と直立運動の作動する力（揺れる力）に比例して∠α、∠β、∠γも変化する。∠αは主柱（け）の直立状態の∠ＡＢＧであり直立ストップ角度である。また∠ＲＢ´Ａはキャスター角となって旋回盤の旋回作動に働き、更に∠ＲＢ´Ａは傾斜台座上の該旋回盤そのものを傾斜台座坂上へ押し上げ滑り上げる作用が働いている。ゆえに地震で傾斜旋回盤の旋回中心軸が主柱軸（Ａ）側の坂下（Ｓ）にある為地震発生により旋回盤は、主柱傾斜角度（∠ＢＡＬ）、支柱傾斜角度（∠δ）に相応して旋回中心軸（Ｓ）を中心に偶力のモーメントが発生してキャスター効果作用により瞬時に不等速楕円運動形態の旋回作動を始める。旋回盤が傾斜状態で自在に半旋回し梃クランク連鎖機構も機敏に前傾直立を反復作動する構造装置として成る。地震終了後は該キャスター効果作用により主柱と支柱と旋回盤は元の位置に、元の形（図１）に戻ろうとする復元力が働く。また傾斜台座の傾斜角度（∠θ）はキャンバー角に相当し、円錐体の支持軸兼旋回軸（Ｅ、Ｆ）はトーイン（トーアウト）に相当して似ており自動車のトーイン、キャンバー、キャスター等のホイールアライメント装置に良く似た働きをする構造である。円錐体頂点部（せ、Ｒ）は球面クロス軸受装置を設置して柱の根元部と一体構造として成っていて、柱は底上げ状態、吊上げ状態で浮動しながら鉛直水平面移動を可能とする手段により柱は揺れない構造を特徴として成る機械式免震構造装置である。
【０００８】  図５は逆鍔（縁）付直円錐体（し、す、せ）（コーン、麦藁帽子やとんがり帽子形状で内部は空洞型）の斜視図である。該円錐体は厚鋼板の素材を用いた堅牢な構造として成り鍔部分は（し）であり、母線部分は（す）、頂点部分は（せ）、天井型梁は（さ）である。図２は旋回盤上の主柱軸（Ａ）と支柱軸（Ｃ）との軸間距離ＡＣは天井型梁の軸Ｂと軸Ｄの距離ＢＤと同じ長さで設定した場合の天井型梁の傾斜角度と主柱と支柱の傾斜角度比較を表した平行クランク機構形式の概略側面図である。図２は旋回盤上の主柱軸（Ａ）と支柱軸（Ｃ）の軸間距離ＡＣは天井型梁の軸Ｂと軸Ｄの軸間距離ＢＤよりも長く距離を取り天井型梁（さ、２２〜２３）が側面視で水平で鍔部分（し、２４〜２５）と平行を維持するように設定した場合の梃クランク連鎖機構形式の概略側面図である。地震のない平常時では天井型梁の上面（２２〜２３）と鍔部分（し、２４〜２５）は水平で平行線を維持する設定が望ましい。天井型梁上部のロールクロスジョイント装置（Ｅ）を省略して、天井型梁と鍔部分とを平行状態とするため軸間距離（ＡＣ）の適時な設定が望ましい。
【０００９】  地震発生により地面が揺れ動く力が、該免震装置全体に伝達する力の移動の順序は、まず台座が揺れ動き、台座が揺れ動くと同時に旋回盤が不等速楕円運動の旋回力となり半旋回を反復し、力は旋回盤上の梃クランク連鎖機構の主柱と支柱とに分離し分担して主柱（け）は直立や前傾斜を繰り返す力に変化する。主柱（ＡＢ）が立ち上がり直立をすればする程、円錐体側面（す）は主柱（ＡＢ）に共に近付いて柱に架かる重力荷重が主柱（ＡＢ）側に全重量架かることと成り∠ＡＢＧが直立９０°の手前で直立ストップ角度（または主柱の直立残余角度∠α）によって主柱（ＡＢ）を押し戻す作用が働き、また主柱に架かる重力荷重が重い程押し返す力が強く作用する。横揺れの力を主柱が直立する運動によって上へ持ち上げる力に変化させると言う論理である。ゆえに柱に架かる重力荷重は地震の横から来る力を利用して主柱（け）の直立という運動により柱に架かる重力をその重力自身の重力によって横揺れの衝撃重力を緩衝し地震の揺れを無力化する構造に成っている手段により建造物の柱は揺れない。また更に力は天井型梁へ伝わり、円錐体鍔部分を持ち上げたり、引き下げたりして、地震の横揺れの力は次第に分散し消耗して、円錐体鍔部分の傾斜や揺れ移動する力に変化し、地震の力は益々減量し減衰しながら、円錐体母線である円錐体側面を伝わって、最後に円錐体頂点部で柱の底板根元部に及ぶ時点では力は全く無くなる。ゆえに柱は揺れない構造として成っている。地震終了後、旋回盤はキャスター効果作用によって旋回は元に戻って均衡しバランスを保って中央部の正面方向を向いて止まり、自然重力（ｆ）により復元力が働いて旋回盤上の梃クランク連鎖機構体前部の主柱（け）は旋回盤と共に傾斜台座坂下部（Ｓ´）方向に自然に旋回しながら止まり、円周帯状に配置した８基の主柱、支柱も同様に互いに円周の中央部方向へ向き合う形態で、中心方向へ互いに倒れようとする力（主柱の直立残余角度∠ＡＢＧにより生ずる）が働き、８基とも互いに８角形の中心で持たれ合い釣合って成っている状態と成って自然に元形状に戻る構造である。
【００１０】  図２では柱の底板根元部（た）に架かる鉛直の重力荷重は、構造上、円錐体頂点部に架かって成っている形態であり梃クランク連鎖機構の主柱（け、ＡＢ）の高さ（ＡＢ）と比較して、円錐体の高さ（Ｆ〜Ｒ）〔底面から頂点部までの深さ（ｈ）〕が高いほど柱の根元部は安定性があり柱の重力荷重が重いほど安定性がある。更に円錐体頂点部は重荷重に耐える耐力性構造の連結軸装置として球面軸受け兼用クロス（ボール）ジョイント装置（ち）等の設置によって柱の底板根元部（た）と一体と成って柱に架かる重荷重を支持して、柱の根元部を吊上げ状態で、浮き上げている状態により一定の高さ（Ｑ〜Ｒ）で浮動しながら水平面移動（水平押出し、水平引き込み作用）が可能な構造として成っている。大地震で地面基礎が秒速３ｍの往復瞬間移動という大揺れであっても、梃クランク連鎖機構体群の働きによる緩衝作用で、或いは、柱は地面の平面移動に対処する構造によって柱の鉛直線移動を維持し建造物の柱は揺れない。
【００１１】  図２は地震のない平常時の側面概略図である。ＩＩＩ号基（東）の円錐体の頂点部（せ、Ｒ）の鉛直線と地面基礎（あ）との交点をＱとする。該円錐体の鍔の付け根部分（し）を支持する主柱（け）の連結軸（Ｂ）の鉛直線と地面基礎（あ）との平常時の交点を（Ｈ）とし、地震によって、主柱が直立した時点の連結軸（Ｂ）の鉛直線と地面基礎との交点を（Ｇ）とする。また主柱が傾斜した時点の連結軸（Ｂ）の鉛直線と地面基礎（あ）との交点を（Ｉ）とする。（Ｇ）から（Ｉ）までの距離（半径）を２ｍとした場合（Ｇ〜Ｈ）間は１ｍで、（Ｈ〜Ｉ）間も１ｍとする。相対するＶＩＩ号基（西）も同様に半径２ｍとした場合直径４ｍである。関東大震災での最大振幅（距動）、（往復瞬間移動距離、揺れの直径）が例えば２〜３ｍであったとすれば地面の揺動に充分対応可能となる。地震のない平常時では主柱（ＡＢ）の傾斜角度（中立状態）を仮に∠６０°とし（Ｇ〜Ｈ）が１ｍとして設定すれば、天井型梁の軸間距離（ＢＤ）の長さと、主柱（け）の長さ（ＡＢ）の設定数値は決まる。主柱の中立状態の希望する傾斜角度と長さにより希望する最大振幅数値（揺れの直径）が決まる。
【００１２】  図３は地震発生によって地面基礎（あ）が西に揺れ動いた場合のＩＩＩ号基（東）とＶＩＩ号基（西）の全体側面概略図である。地面基礎が東西南北、どの方向に揺れ動いても、梃クランク連鎖機構体群の働きによって、柱（そ）と円錐体頂点部（せ）は地面基礎（あ）が揺れ動いた方向の反対側に瞬時に反作用をして元の位置に留まろうとする向心力作用が働き、空間の同じ地点（せ、Ｒ点）の鉛直線上の位置で停止し留まっている。同時に４節連鎖機構体群が作動する働きによって東側ＩＩＩ号基の主柱、支柱は東へ直立する力が働き、西側ＶＩＩ号基の主柱、支柱は東へ傾き倒れ掛かる状態と成って、円錐体底面と鍔部分（し）は東上がりの傾きと成り、西下がりの状態と成る。また北側Ｉ号基と南側Ｖ号基の円錐体の鍔部分は旋回盤の旋回作用に伴って東に揺れ移動しながら東上がりに、西下がりに傾き始めることと成る。円錐体の鍔部分の運動形態は遊具の糸巻き円錐駒の回転運動に似ていて、回転する円錐駒の鉄芯を不動の中心点とし、円錐体の母線（す）の長さを半径として円錐体の底面と鍔部分がフラフープ運動する運動形態に似ている。また或いは１本の棒の端で空中での皿回しをする皿の運動形態にも似ている。
【００１３】  地震で地面が西に揺れた場合では傾斜旋回盤は、偶力のモーメントの発生により瞬時に旋回作用（キャスター効果作用）が働き、ＶＩＩ号基の主柱（けＶＩＩ）は東に前傾斜しＩＩＩ号基（東）の主柱（けＩＩＩ）は立ち上がり直立状態となる。更に、Ｉ（北）、Ｖ（南）の主柱（けＩ、けＶ）は正面を向いていた方向から東方向へ旋回盤と共に旋回し、台座の傾斜角度（∠θ）に相応して主柱、支柱は傾斜状態から立ち上がり直立に向かいながら側方に傾斜（台座の傾斜角と同じ∠θが側方傾斜の限界）する状態となる。この時点で旋回盤の偶力のモーメントは消滅し旋回は停止する。主柱と支柱は台形形状（立ち上がり傾斜角度∠θで台座の傾斜と同じ、将棋の駒形）と成っているので安定的である。例えば円錐体鍔部分を支持する天井型梁上の連結軸兼旋回軸は正８角形で等間隔に配置してあるのでとする３号基の（ＩＩＩＥ、Ｆ）と４号基の（ＩＶＥ、Ｆ）の地点間の定まった距離により旋回盤のこれ以上の旋回も、主柱の直立運動もブレーキがかかりストップする限界位置点とする構造である。旋回盤の東へ、西へ旋回最大限角度は∠４０°（計∠８０°）位の設定が限界であり主柱、支柱の直立限界角度も∠７０°〜∠８０°程度の設定が望ましいと思量する。自動車のステアリング装置でトーイン、キャンバー、キャスターの関係に相当して似た構造で、ハンドルを右いっぱいに回した時点で押し返される、反転する力を受ける機能に相当して似た構造として成っている。
【００１４】  円錐体の頂点部で鉛直に建つ柱は、柱の根元底板部（た）に架かる重力荷重が重い程、或いは円錐体内部で該底面部分（Ｍ）から頂点部（せ、Ｒ）までの高さｈ（深さ）が高い程、（または重心が低い程）傾斜している円錐体底面の鍔部分を水平に戻そうとする復元力が働き、鍔の付け根部分（Ｎ）に強力な力が働く。海洋を航行する貨物船が荒波に揺れながら航行しているときは重心が低い程復元力が働き船を鉛直に戻そうとする力が働くのと同じである。図３に於いて  頂点部（せ、Ｒ）と柱は鉛直に建とうとする力と共に鍔部分（し）は元の水平な位置に戻ろうとする力が働き円錐体の母線部分で側面は、直立（∠α＞∠≒２０°）に近い主柱の傾斜角度（∠ＢＡＬ＜∠≒８０°）（残余角度∠α）によって前方へ押し返されて押し出される作用が働く。綱渡りの軽業師が水平棒１本手に取り１本のロープ上を綱渡りしている時の軽業師の足元のふらつき、揺れ（縦横斜め）に反応して体感（実感）しながら対応する構造装置として成り、逆さ麦藁帽子、とんがり帽子の鍔部分がフラフープ踊りを舞っていても、とんがり帽子の頂点部分が不動である形態や、または遊具で綱渡り糸巻き円錐駒の鉄芯に似ている免震構造装置である。
【効果】
【００１５】  例えば仮に地面が１秒速で直径３ｍを往復瞬間移動したとしても、或は、柱に１万トン以上の衝撃的重力荷重の大きな負荷が架かったとしても免震装置を鋼鉄製として構造上強度的に対応可能として、地面の振幅値が３ｍでも４ｍでも希望の数値設定により免震装置の製作が可能である。１００年以上の耐久性、耐力性にも対応する構造であって、特願２００６−３５７４８４で記述した上下動の免震構造装置を同時に設置する構造とすれば関東大震災級以上のどのような激震にも対応可能と思量する。「建造物の柱が地面基礎に、しがみついて建っている」という発想を転換して、別の視点で新幹線がリニアモーターカーであった場合には脱線はなかっただろうという柔軟な発想による免震装置であって人口集中型建造物の免震装置として地下階へ設置する埋設構造とするならば目立たず安全で大きな効果があると思量する。大地震が１００年に１度の確率であるならば装置の耐久性や耐用年数が１００年以上維持されなければ製造費用が大きくなって費用対効果は小さい事となり、本四架橋等の耐久、耐用性課題も２００年以上であれば効果は大きい事と成る。頑丈で錆びない、劣化しにくい部材を用いて製作するならば耐用性課題は解決し効果は計り知れない。
【図面の簡単な説明】
【００１６】
【図１】：８角形区画面帯状の土台と旋回盤の全体概略上面図
【図２】：梃クランク連鎖機構体群の平行クランク機構型  全体概略側面図
【図３】：梃クランク連鎖機構体群の地震のない平常時の均衡型  全体側面図
【図４】：地面が揺れた場合の梃クランク連鎖機構体群の作動を現す全体側面図
【図５】：梃クランクの部品分解図と逆鍔付直円錐体の全体斜視図
【図６】：梃クランクの主柱（け）、支柱（こ）の部品斜視図
【図７】：天井型梁（さ）とロールクロスジョイント装置の部品斜視図
【図８】：ロールクロスジョイントの部品斜視図
【図９】：ボールクロスジョイント（ち）の部品斜視図
【符号の説明】
【００１７】あ：地面基礎  い：土台（Ｉ〜ＶＩＩＩ）  う：台座（１〜１１）（Ｉ〜ＶＩＩＩ）
え：旋回盤（１２〜２１）（Ｉ〜ＶＩＩＩ）  お：円錐コロ
か：旋回盤旋回中心軸（キングピン）、き：台座旋回用溝、く：旋回盤旋回用溝
け：主柱Ｉ〜ＶＩＩＩ  こ：支柱Ｉ〜ＶＩＩＩ  さ：天井型梁Ｉ〜ＶＩＩＩ
し：逆鍔付直円錐体の鍔部分  す：逆鍔付直円錐体の母線部分
せ：逆鍔付直円錐体の頂点部分  そ：建造物の柱
た：建造物の柱の底板、根元部分  つ：建造物の床用梁
ち：ボールジョイント球面軸受け装置（或いは、図８のクロスボールジョイント）
Ａ：主柱軸下（Ｉ〜ＶＩＩＩ）、Ｂ：主柱軸上（Ｉ〜ＶＩＩＩ）
Ｃ：支柱軸下（Ｉ〜ＶＩＩＩ）  Ｄ：支柱軸上（Ｉ〜ＶＩＩＩ）
Ｅ、Ｅ２：重荷重用ロールクロスジョイント（Ｉ〜ＶＩＩＩ）
Ｆ：旋回軸ボス、ピンＩ〜ＶＩＩＩ号
Ｇ：主柱軸Ｂの鉛直線と地面（あ）との交点（直立状態の時点）Ｉ〜ＶＩＩＩ、ＢＧ
Ｈ：主柱軸Ｂの鉛直線と地面（あ）との交点（平常時の位置点）Ｉ〜ＶＩＩＩ、ＢＨ
Ｉ：主柱軸Ｂの鉛直線と地面（あ）との交点（傾倒状態の時点）Ｉ〜ＶＩＩＩ、ＢＩ
ＬＭ：主柱軸Ａの水平線
【図１】
2009041352.tif 000003
【図２】
2009041352.tif 000004
【図３】
2009041352.tif 000005
【図４】
2009041352.tif 000006
【図５】
2009041352.tif 000007
【図６】
2009041352.tif 000008
【図７】
2009041352.tif 000009
【図８】
2009041352.tif 000010
【図９】
2009041352.tif 000011
【手続補正書】
【提出日】平成20年8月7日(2008.8.7)
【手続補正１】
【補正対象書類名】明細書
【補正対象項目名】全文
【補正方法】変更
【補正の内容】
【発明の詳細な説明】
【技術分野】
【０００１】  建築構造物の機械式免震構造装置に関する。
【背景技術】
【０００２】  地震による建造物の免震構造装置は多種多様ある。柱の根元部が浮上して成るブランコ式免震装置でも地面が揺れれば腰掛部の上下の高低差が生じるが、高低差の全く生じない平面移動だけの免震構造は〔特願２００６−５７４８４〕のスライダクランク式がある。柱の根元に架かる衝撃的重力荷重が１万トン以上に耐え得る強固な鋼鉄製で１００年以上の耐久性のある建造物の横揺れを防止する免震構造は不明である。
【発明の開示】
【発明が解決しようとする課題】
【０００３】  関東大震災級の大地震で、地面の揺れが仮に１秒間で直径３ｍを往復瞬間移動したとしても、設計段階で３ｍでも４ｍでも希望の数値設定により強固な免震構造の機械製作を可能とし、鋼鉄製部材で建造物の柱の根元部に架かる衝撃的重力荷重が仮に１万トン以上であっても強度的に耐え得る構造能力があって、１００年以上の耐久性もあり、地面が揺れても柱の揺れを完全に防止する機械式免震構造装置を備えた建造物の建造を課題とする。特願２００６−３５７４８４の追加的事項である。ブランコやスケートボード、シーソー、ジェットコースターなど重力や反重力を応用した構造は遊具や振り子時計、家具、産業機械などに昔から多く使用され地球に重力がある限り様々な開発が続く。更に折りたたみ机やテーブルなど、梃クランク構造によって屈伸、屈折、旋回可能な連結方法により台形形状を成す脚立方式の構造や梃クレーン、ミシンなど柱や筋交い、梁、などを使用した構造物で、昔からある４節（両梃）連鎖機構も広く古くから公知の構造である。  そこで４節連鎖機構構造の原理を応用して、電源もコンピュタ−も使用しない自然重力だけを利用した免震構造で建造物の柱（そ）は地上より吊り上がって、リニアモーターカーのごとく浮き上がった状態のまま激震で地面が東西南北どの方向に揺れ動き、斜めに傾斜移動を反復しようとも柱は元の空間のそのままの位置で揺れない不動の位置を維持するにはどのような手段を用いて実現するか、を課題とし、綱渡りの軽業師が水平棒１本手に取り１本のロープを綱渡りしているときの軽業師の足元の揺れ（縦横斜め）を体感（実感）する装置の実現であり、或いは遊具の綱渡りする糸巻き円錐駒の鉄芯のごとく、建造物の柱の根元（た、ち、Ｏの位置）そのものが綱渡りしているがごとく空中のロープ（せ、部分）（Ｒの位置）から、はずれない、落下しない、Ｏ点の位置より不動な免震構造装置を備えた建造物の建造を課題とし、人為的な手法での重力対策が課題である。
【課題を解決する為の手段】
【０００４】  建造物の柱を建てる地面基礎上（あ）に円周帯状または多角形区画面帯状（図１）に土台（い）を設置し、該土台上部（１〜２）に中央部へ傾斜面と成った旋回用溝付（き）の台座（う、１〜１１）を東西南北、多区画面帯状（５〜８箇所）設置する。図１は、８区画面帯状の台座（う）はすべて傾斜角度∠θで緩い傾斜面として成り、該台座（溝付き）上面には円形又は半円形状で底面には旋回用溝（く）付の旋回盤（え、１２〜２１）を各１区画面には１基搭載し、８区画面には８基（Ｉ〜ＶＩＩＩ）搭載設置して成る構造を示す全体概略平面図である。説明都合上これ以後、台座（う）と旋回盤（え）とを８セット、８角形区画面帯状に設置した場合として説明することとする。該台座上面（３〜１０）と接面している旋回盤の底面（１５〜２１、１２）には、転がりコロ受用で旋回用溝（く）とローラー車輪（円錐コロ、お）とを設置して重荷重に耐える構造とし、旋回盤の旋回中心軸（Ｓ、キングピン）は旋回盤の円形の中心点（Ｎ）から主柱軸（Ａ）側、で坂下の（Ｓ１）の位置とし、また傾斜台座面上の旋回盤搭載の中心軸も台座の坂下側の（Ｓ２）の位置として（Ｓ１）の同一軸位置とする。旋回盤の回転周速度形態は不等速楕円運動する旋回構造として成っていて傾斜台座上で傾斜旋回盤が機敏に滑らかに半旋回振り子運動を反復する構造である。図１は旋回盤を８基搭載する場合で１号基から８号基  まで同じ相似形を成す対称な配置形状を示す全体側面図である。説明都合上、時計回りにＩ号基から８号基まで８角形区画帯状に配置する。Ｉ号基は北、ＩＩ号基は北東、ＩＩＩ号基は東、ＩＶ号基は南東、Ｖ号基は南、ＶＩ号基は南西、ＶＩＩ号基は西、ＶＩＩＩ号基は北西・・の順である。
【０００５】  台座上に旋回盤を８基搭載した場合で東側のＩＩＩ号基を例にとって図３により説明する。傾斜旋回盤上（ＩＩＩえ）には主柱（け）、天井型梁（さ）、支柱（こ）から成る（てこ）クランク連鎖機構を搭載して該各部の連結部軸（Ａ、Ｂ、Ｃ、Ｄ、Ｅ、Ｆ）軸のボスピン装置は外部コロ軸受け（図６の円内）等のボス、ピンとにより連結しすべての連結部は重荷重に耐える耐力性連結構造として成っている。図５は旋回盤上の梃クランク連鎖機構正面部の主柱（け）と背面部の支柱（こ）は厚鋼板のＩビーム形鋼や、コラム、Ｈ形鋼などの部材によって台形を成す同じ形状の柱（図５）として建て、鉛直方向に１万トン以上の衝撃的重力荷重に耐える強度と地面が秒速３ｍの往復瞬間移動にも耐え得る強度を保持する堅牢な構造として成る。
【０００６】  ８角形区画面の傾斜台座上では８基の傾斜旋回盤と該８基の各々の旋回盤上に搭載の梃クランク連鎖機構（４てこ連鎖機構）とで成っている機構を梃クランク連鎖機構体と仮称し、８基の４節連鎖機構体を８角形区画帯状に配置し中央部に逆鍔付直円錐体をかぶせる形状で搭載して該鍔付直円錐体頂点部（せ）によって、柱（そ）の底板根元部（た）を支持する形状の機構を梃クランク連鎖機構体群と仮称する。またこれ以後、該、逆鍔付直円錐体を略して円錐体と仮称する。
【０００７】  逆鍔付直円錐体（略して円錐体）の構造は８角形区画帯状に８箇所配置設置した旋回盤と該各々の上部に設置した４節連鎖機構体の中央部へ円錐体を逆さに挿してかぶせる形状（とんがり帽子形状）で搭載して、該円錐体の鍔部分（し）を天井型梁の上面（２４〜２５）で支持してボスピン（Ｆ１）（Ｆ２）により連結軸とし旋回軸作用も兼ねる軸として成る（図３ａ、図３ｂを参照）。更に該連結旋回軸の下部にクロスジョイント装置（Ｅ）を装着して一体部品（図５の円内部分）とした構造の場合では、円錐体の自在な傾きにも対応する支持軸兼旋回軸構造として成る（図４ａ、図４ｂを参照）。図３ｂ、図４ｂで示すように円錐体の該支持軸、兼旋回軸（Ｅ、Ｆ）に架かる重力荷重は主柱軸（Ｂ２）と支柱軸（Ｄ２）に分担して架かり、主柱軸（Ｂ２）の鉛直線（Ｂ２Ｇ）と、旋回盤の旋回中心軸（Ｓ）の鉛直線（ＳＳ′）との距離（Ｂ２Ｇ〜ＳＳ′）は主柱（け）の最も直立した状態で最も縮んだ最短距離（図３ｂ、４ｂ）でも鉛直線間（Ｂ２Ｇ〜ＳＳ′）はＴの間隔でありＴは旋回盤の旋回モーメントの腕の長さの役割を成して旋回盤の旋回作動する力の発生原因と成る構造である。（Ｂ１、Ｈ）線と（Ｂ２、Ｇ）線、（Ｂ３、Ｉ）線の各３鉛直線は互いに平行線であるから３線に交わる主柱軸線（ＡＢ）と水平線（ＬＭ）との∠（ＢＡＬ）は主柱（け）の前傾斜と直立運動の作動する力は地面の揺れる力（Ｚ）に比例して∠α、∠β、∠γも変化する。∠βは主柱（け）の直立状態の∠ＡＢ２Ｇであり直立限界（ストップ）角度である。また図１により点Ｏが例えば矢印方向（北北東）に揺れた場合旋回盤（Ｉ）、（ＩＩ）は互いに向かい合う方向へ旋回し、∠ＯＢ２Ａはキャスター角となって旋回盤の旋回作動に作用して働き、更に∠ＯＢＡは傾斜台座上の該旋回盤そのものを傾斜台座坂上へ押し上げ滑り上げる作用が働いている（矢印Ｗの方向に働く力）。ゆえに地震で傾斜旋回盤の旋回中心軸（Ｓ）が主柱軸（Ａ）と支柱軸（Ｃ）の中間点（Ｎ）よりも坂下側に設置してある為、例えば地震発生により地面が南南東方向に揺れた場合（点Ｏは北北東方向に移動するように見える）、旋回盤（Ｉ）は半時計回りに、旋回盤（ＩＩ）は時計回りに旋回し、主柱傾斜角度（∠Ｂ２・ＡＬ）、支柱傾斜角度∠Ｄ２・Ｃ′Ｌ（∠δ）に相応して旋回中心軸（Ｓ）を中心に偶力のモーメントが発生してキャスター効果作用により瞬時に不等速楕円運動形態の旋回作動を始める。旋回盤が傾斜状態で自在に半旋回し梃クランク連鎖機構も機敏に前傾直立を反復作動する構造装置として成る。地震終了後は該キャスター効果作用により主柱と支柱と旋回盤は元の位置に、元の形（図１）に戻ろうとする復元力が働く。また傾斜台座の傾斜角度（∠θ）はキャンバー角に相当して働き、円錐体の支持軸兼旋回軸（Ｅ、Ｆ）はトーイン（トーアウト）に相当する働きに似ており自動車のトーイン、キャンバー、キャスター等のホイールアライメント装置に良く似た働きをする構造である。円錐体頂点部（せ、Ｒ）は球面クロス軸受装置を設置して柱の根元部と一体構造として成っていて、柱は地上（あ）より底上げ状態、吊上げ状態で浮動しながら鉛直水平面移動を可能とする手段により柱は全く揺れない構造を特徴として成���機械式免震構造装置である。
【０００８】  図５は逆鍔（縁）付直円錐体（し、す、せ）（コーン、麦藁帽子やとんがり帽子形状で内部は空洞型）の斜視図である。該円錐体は厚鋼板の素材を用いた堅牢な構造として成り鍔部分は（し）であり、母線部分は（す）、該（す）の反対抗する側の母線は（な）、頂点部分は（せ）、天井型梁は（さ）である。図２は旋回盤上の主柱軸（Ａ）と支柱軸（Ｃ）との軸間距離ＡＣは天井型梁の軸Ｂと軸Ｄの距離ＢＤと同じ長さで設定した場合の天井型梁の傾斜角度と主柱と支柱の傾斜角度比較を表した平行クランク機構形式の概略側面図である。図３ａ、図３ｂは旋回盤上の主柱軸（Ａ）と支柱軸（Ｃ）の軸間距離ＡＣは天井型梁の軸Ｂと軸Ｄの軸間距離ＢＤよりも長く距離を取り天井型梁（さ、２２〜２３）が側面視で水平で鍔部分（し、２４〜２５）と平行を維持するように設定した場合の梃クランク連鎖機構形式の概略側面図である。地震のない平常時では天井型梁の上面（２２〜２３）と鍔部分（し、２４〜２５）は水平で平行線を維持する設定が望ましい。天井型梁上部のロールクロスジョイント装置（Ｅ）を省略して、天井型梁と鍔部分とを平行状態とするため軸間距離（ＡＣ）（ＢＤ）と（ＡＢ）（ＣＤ）の長さ地震の最大振幅の予定数値により算出し適時な設定が望ましい。
【０００９】  地震発生により地面が揺れ動く力が、該免震装置全体に作用して働く力の伝達する移動の順序は、まず地面（あ）と台座（お）が揺れ動き、台座が揺れ動くと同時に旋回盤（え）が不等速楕円運動の旋回力となり半旋回を反復し、力は旋回盤上の梃クランク連鎖機構の主柱と支柱とに分離し分担して主柱（け）、支柱（こ）は直立や前傾斜を繰り返す力に変化する。図３ｂで示すごとく主柱（ＡＢ）が立ち上がり直立をすればする程、円錐体側面、母線側（す）は主柱（ＡＢ）に近付いてきて柱に架かる重力荷重（ｆ）は主柱（ＡＢ２）側に、立ち上がり角度の割合に応じて、架かり直立角度では全重力荷重の角度に応じた分担荷重が架かることと成る。∠ＡＢ２Ｇが直立９０°の手前で直立ストップ角度（または主柱の直立残余角度∠β）によって主柱（ＡＢ２）を押し戻す作用が働き、母線側（す）を押し返す力が働く。また主柱（Ｂ２・Ａ）に架かる重力荷重が重い程押し返す力が強く作用する。横揺れの力（Ｚ）を主柱（Ｂ２・Ａ）が直立する運動によって上へ持ち上げる力〔Ｂ１からＢ２の高さ（ｈ）に上昇させる力〕に変化する為、横揺れの力（Ｚ）は、柱に架かる重力荷重（ｆ）自身の重力によって減衰させると言う論理的構造を特徴として成っている。ゆえに柱に架かる重力荷重は地震の横から来る力を利用して主柱（け）の直立という運動と、母線側（す）の反対坑側母線（て）と反対坑側主柱（な）では前傾斜により柱に架かる重力は軽く成り押し戻され易く成る。該重力自身の重力荷重のバランスによって横揺れの衝撃重力を緩衝し地震の揺れを無力化する構造に成っている手段により建造物の柱は揺れない。また更に力は天井型梁へ伝わり、円錐体鍔部分を持ち上げたり、引き下げたりして、地震の横揺れの力は次第に分散し消耗して、円錐体鍔部分の傾斜や揺れ移動する力に変化し、地震の力は益々減量し減衰しながら、円錐体母線である円錐体側面を伝わって、最後に円錐体頂点部で柱の底板根元部に及ぶ時点では力は全く無くなる。ゆえに柱は揺れない構造として成っている。地震終了後、旋回盤はキャスター効果作用によって旋回は元に戻って均衡しバランスを保って中央部の正面方向を向いて止まり、自然重力（ｆ）により復元力が働いて旋回盤上の梃クランク連鎖機構体前部の主柱（け）は旋回盤と共に傾斜台座坂下部（Ｓ）方向に自然に旋回しながら止まり、円周帯状に配置した８基の主柱、支柱も同様に互いに円周の中央部方向へ向き合う形態で、中心方向へ互いに倒れようとする力（主柱の直立残余角度∠ＡＢＧにより生ずる）が働き、８基とも互いに８角形の中心で持たれ合い釣合って成っている状態と成って自然に元形状に戻る構造として成っている。
【００１０】  図２では柱の底板根元部（た）に架かる鉛直の重力荷重は、構造上、円錐体頂点部に架かって成っている形態であり梃クランク連鎖機構の主柱（け、ＡＢ）の高さ（ＡＢ）と比較して、円錐体の高さ（Ｆ〜Ｒ）〔底面から頂点部までの深さ（ｈ）〕が高いほど柱の根元部は安定性があり柱の重力荷重が重いほど安定性がある。更に円錐体頂点部は重荷重に耐える耐力性構造の連結軸装置として球面軸受け兼用クロス（ボール）ジョイント装置（ち）等の設置によって柱の底板根元部（た）と一体と成って柱に架かる重荷重を支持して、柱の根元部を吊上げ状態で、浮き上げている状態により一定の高さ（Ｑ〜Ｒ）で浮動しながら水平面移動（水平押出し、水平引き込み作用）が可能な構造として成っている。大地震で地面基礎が秒速３ｍの往復瞬間移動という大揺れであっても、梃クランク連鎖機構体群の働きによる緩衝作用で、或いは、柱は地面の平面移動に対処する構造によって柱の鉛直線移動を維持し建造物の柱は揺れない。
【００１１】  図３ａは地震のない平常時の側面概略図である。ＩＩＩ号基（東）の円錐体の頂点部（せ、Ｒ）の鉛直線と地面基礎（あ）との交点をＱとする。該円錐体の鍔の付け根部分（し）を支持する主柱（け）の連結軸（Ｂ１）の鉛直線と地面基礎（あ）との平常時の交点を（Ｈ）とし、地震によって、主柱が直立した時点の連結軸（Ｂ２）の鉛直線と地面基礎との交点を（Ｇ）とする。また主柱が傾斜した時点の連結軸（Ｂ３）の鉛直線と地面基礎（あ）との交点を（Ｉ）とする。（Ｇ）から（Ｉ）までの距離（半径）を２ｍとした場合（Ｇ〜Ｈ）間は１ｍで、（Ｈ〜Ｉ）間も１ｍとする。相対するＶＩＩ号基（西）も同様に半径２ｍとした場合直径４ｍである。関東大震災での最大振幅（距動）、（往復瞬間移動距離、揺れの直径）が例えば２ｍであったとすれば地面の揺動に対応可能と思量する。地震のない平常時では主柱（ＡＢ）の傾斜角度（中立状態）を仮に∠６０°とし（Ｇ〜Ｈ）が１ｍとして設定すれば、天井型梁の軸間距離（ＢＤ）の長さと、主柱（け）の長さ（ＡＢ）の設定数値は決まる。主柱の中立状態の希望する傾斜角度と長さにより希望する最大振幅数値（揺れの直径）が決まる。
【００１２】  図３は地震発生によって地面基礎（あ）が西に揺れ動いた場合のＩＩＩ号基（東）とＶＩＩ号基（西）の全体側面概略図である。地面基礎が東西南北、どの方向に揺れ動いても、梃クランク連鎖機構体群の働きによって、柱（そ）と円錐体頂点部（せ）は地面基礎（あ）が揺れ動いた方向の反対側に瞬時に反作用をして元の位置に留まろうとする向心力作用が働き、空間の同じ地点（せ、Ｒ点）の鉛直線上の位置で停止し留まっている。同時に４節連鎖機構体群が作動する働きによって東側ＩＩＩ号基の主柱、支柱は東へ直立する力が働き、西側ＶＩＩ号基の主柱、支柱は東へ傾き倒れ掛かる状態と成って、円錐体底面と鍔部分（し）は東上がりの傾きと成り、西下がりの状態と成る。また北側Ｉ号基と南側Ｖ号基の円錐体の鍔部分は旋回盤の旋回作用に伴って東に揺れ移動しながら東上がりに、西下がりに傾き始めることと成る。円錐体の鍔部分の運動形態は遊具の糸巻き円錐駒の回転運動に似ていて、回転する円錐駒の鉄芯を不動の中心点とし、円錐体の母線（す）の長さを半径として円錐体の底面と鍔部分がフラフープ運動する運動形態に似ている。また或いは１本の棒の端で空中での皿回しをする皿の運動形態にも似ている。
【００１３】  地震で地面が西に揺れた場合では傾斜旋回盤は、偶力のモーメントの発生により瞬時に旋回作用（キャスター効果作用）が働き、ＶＩＩ号基の主柱（けＶＩＩ）は東に前傾斜しＩＩＩ号基（東）の主柱（けＩＩＩ）は立ち上がり直立状態となる。更に、Ｉ（北）、Ｖ（南）の主柱（けＩ、けＶ）は正面を向いていた方向から東方向へ旋回盤と共に旋回し、台座の傾斜角度（∠θ）に相応して主柱、支柱は傾斜状態から立ち上がり直立に向かいながら側方に傾斜（台座の傾斜角と同じ∠θが側方傾斜の限界）する状態となる。この時点で旋回盤の偶力のモーメントは消滅し旋回は停止する。主柱と支柱は台形形状（立ち上がり傾斜角度∠θで台座の傾斜と同じ、将棋の駒形）と成っているので安定的である。例えば円錐体鍔部分を支持する天井型梁上の連結軸兼旋回軸は正８角形で等間隔に配置して成っているので３号基の（ＩＩＩ  Ｆ）と４号基の（ＩＶ  Ｆ）の地点間の定まった距離により旋回盤のこれ以上の旋回も、主柱の直立運動もブレーキがかかりストップする限界位置点とする構造である。旋回盤の東へ、西へ旋回最大限角度は∠４０°（計∠８０°）位の設定が限界であり主柱、支柱の直立限界角度も∠７０°〜∠８０°程度の設定が望ましいと思量する。自動車のステアリング装置でトーイン、キャンバー、キャスターの関係に相当して似た構造で、ハンドルを右いっぱいに回した時点で押し返される、反転する力を受ける機能に相当して似た構造として成っている。
【００１４】  円錐体の頂点部で鉛直に建つ柱は、柱の根元底板部（た）に架かる重力荷重が重い程、或いは円錐体内部で該底面部分（Ｍ）から頂点部（せ、Ｒ）までの高さｈ（深さ）が高い程、（または重心が低い程）傾斜している円錐体底面の鍔部分を水平に戻そうとする復元力が働き、鍔の付け根部分（Ｎ）に強力な力が働く。海洋を航行する貨物船が荒波に揺れながら航行しているときは重心が低い程復元力が働き船を鉛直に戻そうとする力が働くのと同じである。図３に於いて  頂点部（せ、Ｒ）と柱は鉛直に建とうとする力と共に鍔部分（し）は元の水平な位置に戻ろうとする力が働き円錐体の母線部分で側面は、直立（∠β＞∠≒２０°）に近い主柱の傾斜角度（∠Ｂ２ＡＬ＜∠≒８０°）（残余角度∠β）によって前方へ押し返されて押し出される作用が働く。綱渡りの軽業師が水平棒１本手に取り１本のロープ上を綱渡りしている時の軽業師の足元のふらつき、揺れ（縦横斜め）に反応して体感（実感）しながら対応する構造装置として成り、逆さ麦藁帽子、とんがり帽子の鍔部分がフラフープ踊りを舞っていても、とんがり帽子の頂点部分が不動である形態や、または遊具で綱渡り糸巻き円錐駒の鉄芯に似ている免震構造装置である。
【効果】
【００１５】  例えば仮に地面が１秒速で直径３ｍを往復瞬間移動したとしても、或は、柱に１万トン以上の衝撃的重力荷重の大きな負荷が架かったとしても免震装置を鋼鉄製として構造上強度的に対応可能として、地面の振幅値が３ｍでも４ｍでも希望の数値設定により免震装置の製作が可能である。２００年以上の耐久性、耐力性にも対応する構造であって、特願２００６−３５７４８４で記述した上下動の免震構造装置を同時に設置する構造とすれば関東大震災級以上のどのような激震にも対応可能と思量する。「建造物の柱が地面基礎に、しがみついて建っている」という発想を転換して、別の視点で新幹線がリニアモーターカーであった場合には脱線はなかっただろうという柔軟な発想による免震装置であって人口集中型建造物の免震装置として地下階へ設置する埋設構造とするならば目立たず安全で大きな効果があると思量する。大地震が１００年に１度の確率であるならば装置の耐久性や耐用年数が１００年以上維持されなければ製造費用が大きくなって費用対効果は小さい事となり、本四架橋等の耐久、耐用性課題も２００年以上であれば効果は大きい事と成る。頑丈で錆びない、劣化しにくい部材を用いて製作するならば耐用性課題は解決し効果は計り知れない。
【図面の簡単な説明】
【００１６】
【図１】：８角形区画面帯状の土台と旋回盤の全体概略上面図
【図２】：梃クランク連鎖機構体群の平行クランク機構型  全体概略側面図
【図３】ａ：梃クランク連鎖機構体群の地震のない平常時の均衡型  全体側面図  ｂ：地面が揺れた場合の梃クランク連鎖機構体群の作動を現す全体側面図
【図４】ａ：クロスジョイント装置（Ｅ）を装着した平常時の全体側面図  ｂ：クロスジョイント装置（Ｅ）を装着した場合の地震時の全体側面図
【図５】梃クランクの部品分解図と逆鍔付直円錐体の全体斜視図
【図６】：梃クランクの主柱（け）、支柱（こ）の部品斜視図
【図７】：天井型梁（さ）とロールクロスジョイント装置の部品斜視図
【図８】：ロールクロスジョイントの部品斜視図
【図９】：ボールクロスジョイント（ち）の部品斜視図
【符号の説明】
【００１７】あ：地面基礎    い：土台（Ｉ〜ＶＩＩＩ）    う：台座（１〜１１）（Ｉ〜ＶＩＩＩ）
え：旋回盤（１２〜２１）（Ｉ〜ＶＩＩＩ）    お：円錐コロ
か：旋回盤旋回中心軸（キングピン）、き：台座旋回用溝、く：旋回盤旋回用溝
け：主柱Ｉ〜ＶＩＩＩ        こ：支柱Ｉ〜ＶＩＩＩ      さ：天井型梁Ｉ〜ＶＩＩＩ
し：逆鍔付直円錐体の鍔部分                す：逆鍔付直円錐体の母線部分
せ：逆鍔付直円錐体の頂点部分              そ：建造物の柱
た：建造物の柱の底板、根元部分            つ：建造物の床用梁
て：逆鍔付直円錐体の母線（す）の反対抗側の部分の母線部分
ち：ボールジョイント球面軸受け装置（或いは、図８のクロスボールジョイント）
な：主柱（け）の反対抗する側の主柱
Ａ：主柱軸下（Ｉ〜ＶＩＩＩ）、Ｂ：主柱軸上（Ｉ〜ＶＩＩＩ）
Ｃ：支柱軸下（Ｉ〜ＶＩＩＩ）  Ｄ：支柱軸上（Ｉ〜ＶＩＩＩ）
Ｅ、Ｅ２：重荷重用ロールクロスジョイント（Ｉ〜ＶＩＩＩ）
Ｆ：旋回軸ボス、ピンＩ〜ＶＩＩＩ号
Ｇ：主柱軸Ｂ２の鉛直線と地面（あ）との交点（直立状態の時点）Ｉ〜ＶＩＩＩ、ＢＧ
Ｈ：主柱軸Ｂ１の鉛直線と地面（あ）との交点（平常時の位置点）Ｉ〜ＶＩＩＩ、ＢＨ
Ｉ：主柱軸Ｂ３の鉛直線と地面（あ）との交点（傾倒状態の時点）Ｉ〜ＶＩＩＩ、ＢＩ
ＬＭ：主柱軸Ａ（Ｉ〜ＶＩＩＩ）の水平線
【手続補正２】
【補正対象書類名】図面
【補正対象項目名】全図
【補正方法】変更
【補正の内容】
【図１】
2009041352.tif 000012
【図２】
2009041352.tif 000013
【図３−１】
2009041352.tif 000014
【図３−２】
2009041352.tif 000015
【図４−１】
2009041352.tif 000016
【図４−２】
2009041352.tif 000017
【図５】
2009041352.tif 000018
【図６】
2009041352.tif 000019
【図７】
2009041352.tif 000020
【図８】
2009041352.tif 000021
【図９】
2009041352.tif 000022